(57)【特許請求の範囲】
【請求項１】
浴室の天井に設置される浴室暖房乾燥機であって、
前記浴室暖房乾燥機は、装置本体と、フロントパネルと、固定ネジと、を備え、
前記装置本体は、前記天井に固定されるフランジ部と、前記フランジ部から突出した支持柱と、を有し、
前記支持柱は、前記フランジ部と平行に形成された第１取付孔を有し、
前記フロントパネルは、第２取付孔が形成された固定片を有し、
前記フロントパネルは、前記固定片と前記支持柱との係合により前記フランジ部から離間して仮止めされ、
前記固定ネジは、前記第２取付孔から前記第１取付孔へと螺入されて、前記支持柱と前記固定片とを固定し、
前記フロントパネルは、前記フロントパネルの端部と前記固定片との間に、前記固定ネジを載置するネジ載置部を有し、
前記固定ネジは、前記ネジ載置部に載置されてから前記第２取付孔に螺入されること、を特徴とする浴室暖房乾燥機。
【請求項２】
前記フロントパネルは、周囲端部に壁部を有し、
前記ネジ載置部の上端は、前記壁部の上端側から前記第２取付孔側へと上方に向かって傾斜していること、を特徴とする請求項１に記載の浴室暖房乾燥機。
【発明の詳細な説明】
【技術分野】
【０００１】
本発明は、浴室の天井に設置され、浴室の換気・乾燥・暖房を行うこと浴室暖房乾燥機
に関するものである。
【背景技術】
【０００２】
従来、浴室の天井には、浴室内の暖房や換気を行う浴室暖房乾燥機が設置されている（たとえば、特許文献１参照）。
【先行技術文献】
【特許文献】
【０００３】
【特許文献１】特開２０１４−１８０３９４号公報
【発明の概要】
【発明が解決しようとする課題】
【０００４】
ところで、上記のように天井に設置する浴室暖房乾燥機のフロントパネルは、下から支持され、フロントパネルに挿通したネジで本体に固定される。たとえば、一人で設置を行う場合、フロントパネルを片手で支持し、片手でネジを扱わなければならない。ネジは、浴室の湿気等により腐食しないようにステンレス鋼等の材料が用いられる。このようなネジは、磁化したドライバに付着しない。このため、フロントパネルの取り付けに手間がかかり、作業性が良くない。
【０００５】
本発明は、上記課題を解決するためになされたものであって、その目的は、設置の作業性の向上を図ることにある。
【課題を解決するための手段】
【０００６】
上記課題を解決する浴室暖房乾燥機は、浴室の天井に設置される浴室暖房乾燥機であって、前記浴室暖房乾燥機は、装置本体と、フロントパネルと、固定ネジと、を備え、前記装置本体は、前記天井に固定されるフランジ部と、前記フランジ部から突出した支持柱と、を有し、前記支持柱は、前記フランジ部と平行に形成された第１取付孔を有し、前記フロントパネルは、第２取付孔が形成された固定片を有し、前記フロントパネルは、前記固定片と前記支持柱との係合により前記フランジ部から離間して仮止めされ、前記固定ネジは、前記第２取付孔から前記第１取付孔へと螺入されて、前記支持柱と前記固定片とを固定し、前記フロントパネルは、前記フロントパネルの端部と前記固定片との間に、前記固定ネジを載置するネジ載置部を有し、前記固定ネジは、前記ネジ載置部に載置されてから前記第２取付孔に螺入される。
【発明の効果】
【０００７】
本発明の浴室暖房乾燥機によれば、設置の作業性を向上することができる。
【図面の簡単な説明】
【０００８】
【図１】（ａ）は浴室を示す斜視図、（ｂ）は浴室の側断面図である。
【図２】浴室暖房乾燥機の断面図である。
【図３】浴室暖房乾燥機の断面図である。
【図４】浴室暖房乾燥機の分解斜視図である。
【図５】浴室暖房乾燥機の電気的構成を示すブロック図である。
【図６】（ａ）〜（ｃ）は支持柱の斜視図である。
【図７】（ａ）〜（ｃ）は固定片の斜視図である。
【図８】ネジ載置部を示すフロントパネルの一部斜視図である。
【図９】（ａ）（ｂ）は支持柱と固定片の状態を示す一部側断面図である。
【図１０】フロントパネルの取り付けを説明する斜視図である。
【図１１】フロントパネルの取り付けを説明する図である。
【図１２】（ａ）〜（ｃ）はネジ固定の説明図である。
【発明を実施するための形態】
【０００９】
以下、一実施形態を説明する。
【００１０】
図１（ａ）に示すように、浴室１の天井２には浴室暖房乾燥機１０が設置されている。図１（ｂ）に示すように、浴室暖房乾燥機１０は、天井にあって、浴槽３の上方位置に設置されている。
【００１１】
浴室暖房乾燥機１０は、装置本体１１と、その装置本体１１の前面（施工後において下面）に固定されたフロントパネル１２とを有している。装置本体１１はフランジ部１１ａを有し、図示しない固定具により、天井２に仮固定される。そして、装置本体１１は、下からフランジ部１１ａに挿通した図示しないネジにより天井２に固定されている。ネジには、たとえばステンレス鋼等の腐食しにくい材料のネジが用いられる。装置本体１１を天井２に仮固定することで、ネジを両手で扱うことができる。そして、フロントパネル１２は、装置本体１１の前面に取着されている。
【００１２】
図１（ｂ）に示すように、装置本体１１のフランジ部１１ａとフロントパネル１２との間には、取り込み口１３（図２参照）が形成される。浴室暖房乾燥機１０は、取り込み口１３から取り込んだ空気を、装置本体１１の吹き出し口２９から浴室１内に吹出する。また、浴室暖房乾燥機１０は、取り込み口１３から取り込んだ空気を、屋外に排出する。なお、取り込み口１３から取り込んだ空気の一部を浴室１内に吹出し、残りの空気を屋外に排出することも可能である。
【００１３】
フロントパネル１２は長方形状に形成され、長辺方向の一端に吹き出し口２９に対応する開口１２ｂ（図２参照）が形成されている。吹き出し口２９には可動ルーバー３０が取着されている。可動ルーバー３０は、フロントパネル１２の短辺方向に沿って延びる長方形の板状に形成されている。
【００１４】
たとえば、図１（ａ）に示すように、浴室暖房乾燥機１０は、その長手方向を、浴室１内の浴槽３が配設された壁面４に沿って延びるように配置されている。可動ルーバー３０の回動により、浴室暖房乾燥機１０から吹出される空気は、図１（ａ）において左右方向にその風向が変更される。
【００１５】
図２に示すように、装置本体１１は、本体ケース２１を有し、その本体ケース２１にファンモータ２２が固定されている。そのファンモータ２２の回転軸にはファン２３が回転軸と一体回転可能に固定されている。ファンモータ２２の動作に基づいてファン２３が回転する。そして、ファン２３の回転に基づいて、浴室１（図１（ｂ）参照）の空気が装置本体１１内に取り込まれる。
【００１６】
ファン２３の下流側には、ダンパ２４が配設されている。ダンパ２４は、後述する切替モータ４５により、図２に示す排気位置と、図３に示す循環位置との間で回動される。図２に示す排気位置において、ダンパ２４は、ファン２３からの空気を排気アダプタ２５へと導く。排気アダプタ２５には、図示しないダクトが接続され、そのダクトを介して空気が屋外に排出される。
【００１７】
図３に示す循環位置において、ダンパ２４は、ファン２３からの空気を循環通路２６へと導く。循環通路２６には、その循環通路２６の一部を塞ぐようにヒータ２７が配設されている。ヒータ２７は、たとえばセラミックヒータである。また、循環通路２６には、ヒータ２７の下流側に固定グリル２８が配設されている。ダンパ２４により循環通路へと導かれた空気は、ヒータ２７を通過して暖められた空気と、ヒータ２７を通過しない空気と
が固定グリル２８を介して吹き出し口２９へと導かれ、浴室１内（図１（ｂ）参照）に吹出される。
【００１８】
次に、上記の浴室暖房乾燥機１０の電気的構成を説明する。
【００１９】
図５に示す制御部４１は、あらかじめ設定されたプログラムに基づいて動作するマイコン及びマイコンと各機器を接続するためのインターフェースを備える。制御部４１は、リモコン４２、温度センサ４３に接続されている。
【００２０】
リモコン４２は、たとえば浴室の外側壁面に取着される。リモコン４２は、浴室暖房乾燥機１０の稼動・停止や、作動時間や浴室１内の温度等を設定するための各種のスイッチを有している。制御部４１には、リモコン４２から出力される操作信号が入力される。
【００２１】
温度センサ４３は、浴室１内の温度を測定する。たとえば、温度センサ４３は、浴室暖房乾燥機１０内の流路において、ヒータ２７の上流側に配置され、通過する空気の温度を検出する。制御部４１には、温度センサ４３から出力される検出信号が入力される。
【００２２】
制御部４１にはファンモータ２２，ルーバーモータ４４，切替モータ４５が接続されている。ルーバーモータ４４は、図２に示す可動ルーバー３０を回動するモータであり、たとえばステッピングモータである。切替モータ４５は、図２に示すダンパ２４を回動するモータであり、たとえばステッピングモータである。制御部４１は、設定されたプログラムに基づいて各モータの動作を制御する。また、制御部４１には、ヒータ２７が接続されている。制御部４１は、温度センサからの検出信号に基づいて、浴室１内の温度を設定温度とするようにヒータ２７を制御する。
【００２３】
次に、装置本体１１とフロントパネル１２の取付けについて説明する。
【００２４】
図４に示すように、装置本体１１のフランジ部１１ａには、４つの支持柱５１〜５４が、フランジ部１１ａから前方（設置状態において下方）に向かって突出形成されている。支持柱５１〜５４は、長方形枠状のフランジ部１１ａにおいて、対向する２つの辺１１ｃ，１１ｄに沿って、辺１１ｃ，１１ｄの端部にそれぞれ形成されている。この辺１１ｃ、１１ｄと平行であって、図４において右手前から左奥に向かう方向（図３において左方向）を取着方向とし、矢印１００にて示す。そして、この矢印１００と反対の方向を反取着方向（または取り外し方向）とする。各支持柱５１〜５４は、略四角柱状に形成されている。各支持柱５１〜５４には、フランジ部１１ａの端部から内側に向かって貫通する第１取付孔５１ａ〜５４ａがそれぞれ形成されている。
【００２５】
一方、フロントパネル１２には、各支持柱５１，５２，５３，５４に対応する４つの固定片６１，６２，６３，６４が後方（設置状態において上方）に向かって突出形成されている。各固定片６１〜６４は、板状に形成されている。各固定片６１〜６４にはそれぞれ、フロントパネル１２の端部から内側に向かって各固定片６１〜６４を貫通する第２取付孔６１ａ〜６４ａが形成されている。これらの第２取付孔６１ａ〜６４ａには、後述する固定ネジ８１が挿通される。そして、固定ネジ８１を支持柱５１〜５４の第１取付孔５１ａ〜５４ａにそれぞれねじ込み、固定片６１〜６４を支持柱５１〜５４にそれぞれ固定する。これにより、フロントパネル１２が装置本体１１に固定される。そして、支持柱５１〜５４と固定片６１〜６４は、フロントパネル１２を装置本体１１（フランジ部１１ａ）から離間して固定する固定部材を構成する。これらの固定部材により、図２，図３に示す取り込み口１３が形成される。
【００２６】
また、図４に示すように、フランジ部１１ａには、２つの係合部５５，５６が前方（設
置状態において下方）に向かって突出形成されている。そして、フロントパネル１２には、２つの係合部６５，６６が後方（設置状態において上方）に向かって突出形成されている。係合部５５と係合部６５は、フロントパネル１２の装着状態（図３参照）において、上下方向に違いに係合する。同様に、係合部５６と係合部６６は、フロントパネル１２の装着状態（図３参照）において、上下方向に違いに係合する。
【００２７】
次に、支持柱５１〜５４を詳述する。
【００２８】
図６（ａ）に示すように、支持柱５１は、略四角柱状に形成され、先端に第１取付孔５１ａが形成されている。その第１取付孔５１ａより基端側には、外側から内側に向かって係合凹部５１ｂが形成されている。この係合凹部５１ｂは、取着方向（図において左方向）に係止壁５１ｃが形成され、反取着方向（図において右方向）に開放されて開口５１ｄを有している。
【００２９】
図４において、支持柱５２は、支持柱５１と対称に形成されている。つまり、支持柱５２は、反取着方向に開放された係合凹部５２ｂを有している。
【００３０】
図６（ｂ）に示すように、支持柱５３は、略四角柱状に形成され、先端に第１取付孔５３ａが形成されている。その第１取付孔５３ａより基端側には、外側から内側に向かって係合凹部５３ｂが形成されている。この係合凹部５３ｂは、取着方向（図において左方向）及び反取着方向（図において右方向）に係止壁５３ｃ，５３ｄが形成されている。
【００３１】
図６（ｃ）に示すように、支持柱５４は、略四角柱状に形成され、先端に第１取付孔５４ａが形成されている。第１取付孔５４ａは他の支持柱５１〜５３の第１取付孔５１ａ〜５３ａと同じ高さに形成されている。そして、この支持柱５４には、上記の係合凹部５１ｂ，５３ｂは形成されていない。なお、図に示す凹部は、形成工程においてこの支持柱５４の変形を防ぐものである。なお、図６（ａ），図６（ｂ）に同様の凹部を示している。
【００３２】
次に、固定片６１〜６４を詳述する。
【００３３】
図７（ａ）に示すように、固定片６１は四角形板状に形成され、フロントパネル１２に立設されている。固定片６１の基端には第２取付孔６１ａが貫通形成されている。固定片６１の先端には係合凸部６１ｂが形成されている。
【００３４】
係合凸部６１ｂは、固定片６１の内側側面に、内側に突出して形成されている。係合凸部６１ｂは、固定片６１の上端にいくほど固定片６１の内側面からの突出量がすくないテーパ状に形成されている。
【００３５】
図９（ａ）に示すように、係合凸部６１ｂは、支持柱５１の係合凹部５１ｂに挿入される。係合凹部５１ｂ及び係合凸部６１ｂは、上下方向において互いに係合することで、フロントパネル１２を支持する。
【００３６】
また、この支持柱５１は、反取着方向（図９（ａ）において手前側）に開口５１ｄを有している。したがって、固定片６１を取着方向に移動させて係合凸部６１ｂを係合凹部５１ｂに挿入することと、固定片６１を反取着方向に移動させて係合凸部６１ｂを係合凹部５１ｂから抜脱することが可能である。
【００３７】
図４に示す固定片６２は、固定片６１と線対称に形成されている。つまり、固定片６２は、第２取付孔６２ａと係合凸部６２ｂとを有している。その係合凸部６２ｂと支持柱５２の係合凹部５２ｂは上下方向において互いに係合し、フロントパネル１２を支持する。
【００３８】
図７（ｂ）に示すように、固定片６３は、図７（ａ）に示す固定片６１と同様である。つまり、固定片６３は四角形板状に形成され、フロントパネル１２に立設されている。固定片６３の基端には第２取付孔６３ａが形成され、先端に係合凸部６３ｂが形成されている。
【００３９】
係合凸部６３ｂは、固定片６３の内側側面に、内側に突出して形成されている。係合凸部６３ｂは、固定片６３の上端にいくほど固定片６３の内側面からの突出量がすくないテーパ状に形成されている。
【００４０】
図９（ｂ）に示すように、係合凸部６３ｂは、支持柱５３の係合凹部５３ｂに挿入される。係合凹部５３ｂ及び係合凸部６３ｂは、上下方向において互いに係合することで、フロントパネル１２を支持する。
【００４１】
さらに、図７（ｂ）に示すように、固定片６３は、標示部６３ｃ，６３ｄを有している。標示部６３ｃ，６３ｄは、それぞれ固定片６３の上端から取着方向と反取着方向に突出するように形成されている。標示部６３ｃ，６３ｄはそれぞれ半円板状に形成されている。これらの標示部６３ｃ，６３ｄは、この標示部６３ｃ，６３ｄを有する固定片６３と、他の固定片６１，６２，６４とを識別するために設けられている。
【００４２】
さらに、この標示部６３ｃ，６３ｄは、図９（ｂ）に示す係合凹部５３ｂから係合凸部６３ｂを抜脱するために有効である。つまり、標示部６３ｃ，６３ｄに指を掛けて固定片６３の先端をフロントパネル１２の外側（図において左側）に向かって移動させることで、固定片６３が撓み、係合凸部６３ｂが係合凹部５３ｂから抜け出す。そして、フロントパネル１２を下げることにより、フロントパネル１２の取り外しが可能となる。
【００４３】
図７（ｃ）に示すように、固定片６４は、四角形板状に形成されている。固定片６４の基端には、第２取付孔６４ａが形成されている。第１取付孔５４ａは他の固定片６１〜６３の第２取付孔６１ａ〜６３ａと同じ高さに形成されている。この固定片６４には、上記の係合凸部６１ｂ，６３ｂ（図７（ａ）（ｂ）参照）が形成されていない。したがって、この固定片６４が形成されたフロントパネル１２の部分（角部）は、ネジ止めされていないとき、係合凸部６１ｂ，６２ｂ，６３ｂを有する固定片６１，６２，６３の部分よりも、フロントパネル１２の自重により下がる。つまり、フロントパネル１２とフランジ部１１ａ（図２等参照）との間の間隔が、他の部分よりも大きくなる。
【００４４】
図４に示すように、フロントパネル１２の端部には、そのフロントパネル間の周囲を覆う壁部１２ａが形成されている。
【００４５】
図８に示すように、壁部１２ａと固定片６１との間には、ネジ載置部７１が形成されている。本実施形態のネジ載置部７１は、２つのリブ７１ａと支持部７１ｂとを含む。
【００４６】
リブ７１ａは、壁部１２ａの上端から、固定片６１に向かって延びるように形成されている。リブ７１ａは、第２取付孔６１ａを中心として、フロントパネル１２の端部に沿って等距離に形成されている。支持部７１ｂは、リブ７１ａの間に、リブ７１ａと直交する方向に沿って延び、リブ７１ａを互いに連結する。
【００４７】
図９（ａ）に示すように、リブ７１ａは、壁部１２ａの上端から、固定片６１に向かって徐々に高くなるように傾斜して形成されている。このリブ７１ａには、フロントパネルを固定する固定ネジが載置される。また、リブ７１ａの傾斜は固定ネジを固定片６１の第２取付孔６１ａに案内する。
【００４８】
図４に示すように、固定片６２，６３，６４についても同様にネジ載置部７２，７３，７４が形成されている。これらのネジ載置部７２〜７４については、詳細な説明と符号を省略する。
【００４９】
次に、上記の浴室暖房乾燥機１０の作用を説明する。
【００５０】
図１０に示すように、天井（図示略）に固定された装置本体１１に、フロントパネル１２を取り付ける。このとき、図４に示すように、装置本体１１の支持柱５１，５２には、反取着方向（図４において右手前方向）に開放された係合凹部５１ｂ，５２ｂが形成されている。一方、フロントパネル１２の固定片６１，６２には、係合凸部６１ｂ，６２ｂが形成されている。フロントパネル１２を取着方向に移動し、これらの係合凸部６１ｂ，６２ｂを支持柱５１，５２の係合凹部５１ｂ，５２ｂに挿入する。
【００５１】
このとき、図１１に示すように、フロントパネル１２の開口１２ｂから、装置本体１１の吹き出し口２９や可動ルーバー３０を確認する。たとえば、開口１２ｂと吹き出し口２９とを互いに平行とするようにフロントパネル１２の姿勢を調整する。これにより、フロントパネル１２に隠れて作業者から見えない支持柱５１，５２と固定片６１，６２（図４参照）の位置合せを行うことが可能である。そして、係合凹部５１ｂ，５２ｂに係合凸部６１ｂ，６２ｂを容易に挿入することができる。
【００５２】
係合凹部５１ｂに挿入された係合凸部６１ｂは、支持柱５１の係止壁５１ｃと取着方向において係合し、フロントパネル１２の移動を制限する。そして、係合凸部６１ｂは、係合凹部５１ｂ内にあって係止壁５１ｃと係合することにより、フロントパネル１２の回動軸として機能する。支持柱５２についても同様である。したがって、図１０に示すように、フロントパネル１２の先端（図１０において左端）を押し上げる。すると、固定片６３の係合凸部６３ｂは、上部が斜面になっているため、フロントパネル１２の回動により係合凸部６３ｂが支持柱５３に当接して固定片６３をフロントパネル１２の外側に撓ませる。そして、係合凸部６３ｂが支持柱５３の係合凹部５３ｂ（図６（ｂ）参照）に挿入される。
【００５３】
各支持柱５１，５２，５３の係合凹部５１ｂ，５２ｂ，５３ｂ（図４参照）と、各固定片６１，６２，６３の係合凸部６１ｂ，６２ｂ，６３ｂ（図４参照）は、互いに上下方向において係合し、フロントパネル１２を支持する。このようにして、フロントパネル１２は、支持柱５１，５２，５３と固定片６１，６２，６３により、装置本体１１に対して仮止めされる。
【００５４】
次に、図１２（ａ）に示すように、ネジ載置部７１（リブ７１ａ）の上に固定ネジ８１を載置する。このとき、固定ネジ８１の頭部８２は、２つのリブ７１ａの間隔に応じて、リブ７１ａの上端より上に保持される。また、固定ネジ８１のネジ部８３は、２つのリブ７１ａの間の支持部７１ｂにより支持される。これにより、固定ネジ８１は、頭部８２が浴室暖房乾燥機１０の外側に向かう状態にて保持される。
【００５５】
次いで、リブ７１ａ上に載置した固定ネジ８１の頭部８２に形成された十字溝にドライバ（図示略）の先端を挿入し、そのドライバをフロントパネル１２の奥に向かって押し込む。すると、図１２（ｂ）に示すように、固定ネジ８１の先端が固定片６１の第２取付孔６１ａ内に挿入される。そして、図１２（ｃ）に示すように、固定ネジ８１を支持柱５１の第１取付孔５１ａにねじ込む。固定ネジ８１により、固定片６１を支持柱５１に固定することができる。
【００５６】
なお、図１２（ｂ）に示すように、固定ネジ８１はその先端が斜め上方を向いた状態となる。浴室暖房乾燥機１０の取付け、つまり天井付近にて作業するため、固定ネジ８１をねじ込むためのドライバの柄は、ドライバの先端よりも下がることが多い。そして、固定ネジ８１を載置するリブ７１ａの上端は、フロントパネル１２の端部から奥に向かって徐々に高くなるように傾斜している。したがって、固定ネジ８１は、リブ７１ａの上端に沿って斜め上方へと押し上げられる。
【００５７】
たとえば、図９（ｂ）に示す支持柱５３と固定片６３の場合、フロントパネル１２の押し上げが不十分な場合、固定片６３の第２取付孔６３ａ（図７（ｂ）参照）と支持柱５３の第１取付孔５３ａ（図６（ｂ）参照）とが上下方向にずれる（固定片６３の第２取付孔６３ａが支持柱５３の第１取付孔５３ａよりも低くなる）。これに対し、固定ネジ８１の先端が斜め上方に向いた状態で押し込むことで、支持柱５３の第１取付孔５３ａに固定ネジ８１の先端を挿入することができ、固定片６３を支持柱５３に固定する、つまりフロントパネル１２を装置本体１１に取り付けることができる。
【００５８】
図１０に示す固定片６４は、係合凸部を有していない（図７（ｃ）参照）。したがって、フロントパネル１２を仮固定した場合、この固定片６４を形成した場所、図１０において、フロントパネル１２の左手前の角部分は、他の角部分よりも下がる。つまりフロントパネル１２の辺が、天井２に対して傾く。作業者は、このフロントパネル１２の傾きにより、固定ネジ８１を用いてフロントパネル１２を固定していないと判断することができ、固定ネジ８１による固定作業を行う。これにより、浴室暖房乾燥機１０の施工を確実に行うことが可能となる。
【００５９】
また、施工後において、何らかの要因により固定ネジ８１の脱落や破損が生じた場合、同様に、固定片６４を形成した場所、図１０において、フロントパネル１２の左手前の角部分は、他の角部分よりも下がる。つまりフロントパネル１２の辺が、天井２に対して傾く。したがって、点検等において固定ネジ８１の不良を判断することが可能となり、固定ネジ８１の交換等の処理を行うことができる。
【００６０】
以上記述したように、本実施形態によれば、以下の効果を奏する。
【００６１】
（１）浴室暖房乾燥機１０は、浴室１の天井２に設置される。浴室暖房乾燥機１０は、フランジ部１１ａを有する装置本体１１と、装置本体１１の前面に配置されたフロントパネル１２を有している。フロントパネル１２は、装置本体１１に形成された支持柱５１〜５４と、フロントパネル１２に形成された固定片６１〜６４により、仮固定される。フロントパネル１２は、各固定片６１〜６４とフロントパネル１２の端部に形成された壁部１２ａとの間にネジ載置部７１〜７４を有している。これらのネジ載置部７１〜７４に固定ネジ８１を載置し、ドライバ等の工具を用いて固定ネジ８１を支持柱５１〜５４の第１取付孔５１ａ〜５４ａにねじ込む。したがって、固定ネジ８１を手で支持する必要がないので、フロントパネル１２を容易に固定することができ、施工性を向上することができる。
【００６２】
（２）ネジ載置部７１は、２つのリブ７１ａを有している。リブ７１ａの上端は、フロントパネル１２の壁部１２ａの上端から固定片６１に向かって徐々に高くなるように傾斜して形成されている。したがって、支持柱の第１取付孔と、固定片の第２取付孔との高さが異なる場合に、リブ７１ａに載置した固定ネジ８１がそのリブ７１ａの上端に沿って斜め上方へと押し上げられるため、支持柱の第１取付孔に固定ネジ８１を容易にねじ込むことができる。
【００６３】
（３）装置本体１１に形成された一対の支持柱５１，５２は、それぞれの外側側面からフランジ部１１ａの端部に向かう面にかけて係合凹部５１ｂ，５２ｂを有している。これ
らの支持柱５１，５２に対応して外側側面と対向して配置される固定片６１，６２は、係合凸部６１ｂ，６２ｂを有している。係合凹部５１ｂ，５２ｂが開口している側からフロントパネル１２を取着方向に移動させることにより、容易に係合凸部６１ｂ，６２ｂを係合凹部５１ｂ，５２ｂ内に挿入することができる。
【００６４】
（４）フロントパネル１２は、装置本体１１の吹き出し口２９と可動ルーバー３０に対応してこれらを露出する開口１２ｂが形成されている。フロントパネル１２の取付けにおいて、開口１２ｂを吹き出し口２９は可動ルーバー３０に対応してフロントパネル１２の姿勢を調整することで、固定片６１，６２を支持柱５１，５２に対応して配置して係合凹部５１ｂ，５２ｂに係合凸部６１ｂ，６２ｂを挿入することができる。
【００６５】
（４）装置本体１１の支持柱５３に係合凹部５３ｂを形成し、この支持柱５３に対応する固定片６３に係合凸部６３ｂを形成した。そして、支持柱５１，５２の係合凹部５１ｂ，５２ｂに挿入された係合凸部６１ｂ，６２ｂを回動軸としてフロントパネル１２の先端を押し上げることで、支持柱５３の係合凹部５３ｂに固定片６３の係合凸部６３ｂを容易に挿入することができる。そして、これらの係合凹部５１ｂ，５２ｂ，５３ｂと係合凸部６１ｂ，６２ｂ，６３ｂにより、フロントパネル１２を容易に仮固定することができる。
【００６６】
（５）支持柱５４には係合凹部が形成されていない。また、支持柱５４に対応する固定片６４には係合凸部が形成されていない。したがって、この固定片６４が形成されたフロントパネル１２の角部は、固定片６１〜６３が形成された角部の高さよりも低くなり、天井２との間隔が広くなる。固定片６４を固定ネジ８１により支持柱５３に固定した場合、第１取付孔５４ａ，第２取付孔６４ａは他の支持柱５１〜５３の第１取付孔５１ａ〜５３ａ、固定片６１〜６３の第２取付孔６１ａ〜６３ａと同じ高さに形成されている。したがって、固定ネジ８１により固定した場合、フロントパネル１２と天井２との間の間隔は、フロントパネル１２の周囲において同じとなる。たとえば、固定ネジ８１による固定を行っていない場合、フロントパネル１２の１つの角部が下がる。したがって、固定ネジ８１による固定を行うことにより、施工を確実に完了させることができる。また、固定ネジ８１が何らかの要因によって脱落や破損した場合にも同様に１つの角部が下がる。したがって、固定ネジ８１の交換等の処理が必要であることを容易に判断することができる。
【００６７】
（６）固定片６３，６４において、固定片６３には係合凸部６３ｂが形成され、固定片６４には係合凸部が形成されていない。したがって、固定片６３の係合凸部６３ｂを支持柱５３の係合凹部５３ｂから抜き出すことで、容易にフロントパネル１２を取り外すことができる。
【００６８】
（７）固定片６３には標示部６３ｃ，６３ｄが形成されている。したがって、フロントパネル１２の角部に手を挿入し、標示部の有無を確認することで、フロントパネル１２を取り外す箇所、つまり固定片６３の場所を容易に把握することができる。
【００６９】
（８）固定片６３に形成された標示部６３ｃ，６３ｄにより固定片６３を撓ませることで、その固定片６３の係合凸部６３ｂを支持柱５３の係合凹部５３ｂから容易に抜き出すことができ、容易にフロントパネル１２を取り外すことができる。
【００７０】
尚、上記各実施形態は、以下の態様で実施してもよい。
【００７１】
・上記実施形態では、吹き出し口２９側の支持柱５１，５２において、係合凹部５１ｂ、５２ｂを端部方向に開口したが、他方（反吹き出し口方向）の支持柱５３，５４の係合凹部を端部方向に開放するようにしてもよい。
【００７２】
・上記実施形態では、標示部６３ｃ，６３ｄを半円板状に形成したが、四角形板状等、形状を適宜変更してもよい。
【００７３】
・上記実施形態に対し、図４に示す係合部５５，５６，６５，６６を省略してもよい。
【００７４】
・図１（ａ），図１（ｂ）に示す浴室暖房乾燥機１０の設置方向・設置場所は一例であり、浴室の形状や要望に応じて適宜変更してもよい。
【００７５】
次に、上記実施形態及び別例から把握できる技術的思想を以下に付記として記載する。
【００７６】
（付記１）
浴室の天井に設置される浴室暖房乾燥機であって、
前記天井に固定されるフランジ部と、前記フランジ部から突出し前記フランジ部と平行に取付孔が形成された複数の支持柱とを有する装置本体と、
前記装置本体の前面に配置され、裏面から突出し、取付孔が貫通形成された固定片を有し、前記支持柱との係合により前記フランジ部から離間して仮止めされるフロントパネルと、
前記固定片の取付孔に挿通されて前記支持柱の取付孔に螺入され、前記支持柱に前記固定片を固定する複数の固定ネジと、
を有し、
前記フロントパネルは、端部と前記固定片との間に、前記取付孔に螺入する前記固定ネジを載置するネジ載置部を有すること、
を特徴とする浴室暖房乾燥機。
【００７７】
（付記２）
前記フロントパネルは、周囲端部に壁部を有し、
前記ネジ載置部の上端は、前記壁部の上端から前記固定片の前記取付孔に向かって傾斜していること、を特徴とする付記１に記載の浴室暖房乾燥機。
【産業上の利用可能性】
【００７８】
本発明にかかる浴室暖房乾燥機は、浴室内の暖房、換気、浴室内の乾燥（たとえば、洗濯物の乾燥）に使用可能である。
【符号の説明】
【００７９】
１      浴室
２      天井
１０    浴室暖房乾燥機
１１    装置本体
１１ａ  フランジ部
１２    フロントパネル
５１    支持柱
５２    支持柱
５３    支持柱
５４    支持柱
５１ａ  第１取付孔
５２ａ  第１取付孔
５３ａ  第１取付孔
５４ａ  第１取付孔
５１ｂ  係合凹部
５２ｂ  係合凹部
５３ｂ  係合凹部
６１    固定片
６２    固定片
６３    固定片
６４    固定片
６１ａ  第２取付孔
６２ａ  第２取付孔
６３ａ  第２取付孔
６４ａ  第２取付孔
６１ｂ  係合凸部
６２ｂ  係合凸部
６３ｂ  係合凸部
７１    ネジ載置部
７２    ネジ載置部
７３    ネジ載置部
７４    ネジ載置部
８１    固定ネジ
【図１】
0006439143.tif 000002
【図２】
0006439143.tif 000003
【図３】
0006439143.tif 000004
【図４】
0006439143.tif 000005
【図５】
0006439143.tif 000006
【図６】
0006439143.tif 000007
【図７】
0006439143.tif 000008
【図８】
0006439143.tif 000009
【図９】
0006439143.tif 000010
【図１０】
0006439143.tif 000011
【図１１】
0006439143.tif 000012
【図１２】
0006439143.tif 000013